(57)【要約】【課題】棚板を、後向きの外力が加わるのを防止して支持しうるとともに、棚板に何らの加工を施すことなく、これを安定よく支持しうるようにする。【解決手段】什器の左右の側板５の対向面に、棚板側部支持片２８aと、起立片２８bとを備える左右１対のブラケット２８を設け、左右の棚板側部支持片２８aの前端部上面に、棚板前部支持片３３と、その前端に連設された上向片３４及び下向片３５とを備える前部棚受け３２を、棚板前部支持片３３の両側縁に突設したＬ字状の係合爪３７を両棚板側部支持片２８aの前端部に設けた係合孔３０に係合させることにより、棚板側部支持片２８aの前端が前記下向片３５の後面と当接または近接するようにして取付け、左右１対のブラケット２８の起立片２８bと、前部棚受け３２の上向片３４とにより囲まれた領域内に、棚板９を支持する。【選択図】  図８
2010158269.tif 000002
【特許請求の範囲】
【請求項１】
什器における上下方向を向く左右の支持体の対向面に、棚板の両側部を支持可能な前後方向を向く棚板側部支持片と、その外側縁より起立する起立片とを備える左右１対のブラケットを設け、前記左右の棚板側部支持片の前端部上面に、棚板の前端部を支持可能な棚板前部支持片と、その前端に連設された上向片及び下向片とを備える左右方向を向く前部棚受けを、前記棚板前部支持片の両側部に下向き突設した側面視後向きＬ字状の係合爪を前記両棚板側部支持片の前端部に設けた前後方向を向く係合孔に係合させることにより、前記下向片の後面がブラケットの前端と当接または近接するようにして取付け、前記左右１対のブラケットの起立片と、前部棚受けの上向片とにより囲まれた領域内に、棚板を支持したことを特徴とする什器における棚板支持構造。
【請求項２】
係合爪の基部の前後寸法を、係合孔の前後寸法とほぼ等しくするとともに、係合爪の前下端の角部を、係合爪の後端部を斜め前上方より係合孔に挿入し、かつ係合孔の後端縁に係止させた状態で下向きに回動させうるように切り欠いてなる請求項１記載の什器における棚板支持構造。
【請求項３】
前部棚受けの下向片の後面に、ブラケットの前端部と係合することにより、前部棚受けの跳上がりを防止する係止手段を設けてなる請求項１または２記載の什器における棚板支持構造。
【請求項４】
係止手段を、ブラケットの棚板側部支持片の前端部または棚板側部支持片の前端に突設した係合突部が後方より係合する、前方に凹入する係合溝としてなる請求項３記載の什器における棚板支持構造。
【請求項５】
下向片の下端に、後ろ上方を向く折り返し片を、その上端と棚板前部支持片の前部下面との間に左右方向を向く凹溝が形成されるようにして連設し、この凹溝を係合溝としてなる請求項４記載の什器における棚板支持構造。
【請求項６】
下向片の下端に、後ろ上方を向く折り返し片を連設し、この折り返し片の上端に、棚板側部支持片の前端に突設した係合突部が係合する凹状の係合溝を設け、この係合溝を係止手段としてなる請求項３記載の什器における棚板支持構造。
【発明の詳細な説明】
【技術分野】
【０００１】
本発明は、例えばキャビネットや陳列棚等の什器における棚板の支持構造に関する。
【背景技術】
【０００２】
この種の従来の棚板支持構造としては、例えば特許文献１及び２に記載されているものがある(例えば特許文献１参照)。
【特許文献１】特開平７−２９８９６３号公報
【特許文献２】特開２００１−１１２５９０号公報
【発明の開示】
【発明が解決しようとする課題】
【０００３】
上記特許文献１に記載の棚板支持構造においては、左右のブラケットの前端部と後端部に、それぞれ、前部棚受けと後部棚枠を取付け、前部棚受けと後部棚枠に立設した棚板支持用フェンスとにより囲まれた空間部内に、棚板を落とし込んで支持しているので、棚板に加工を施すことなく、これを支持しうるという利点がある。
しかし、前部棚受けの下面に設けた係合突起が、ブラケットの係合孔に、前後方向に移動可能に係合され、棚板自身と、後部棚枠とにより、前部棚受けが後方へ移動するのを規制しているので、後部棚枠が不可欠となり、部品点数が増える。
また、万一、前部棚受けに後向きの強い衝撃力が加わると、その力が衝撃荷重となって直接棚板にも加わるので、棚板に載置した物品を転倒させたり、ガラス製の比較的薄い棚板を使用した際に、これを損傷させたりする恐れがある。
さらに、棚板や、前部棚受けにおける係合突起及び係合孔等に寸法誤差が生じると、棚板が前後にがたつく恐れもある。
【０００４】
特許文献２に記載されている棚板支持構造においては、左右の支柱に取付けたブラケットの前端部同士を、左右方向の連結杆により連結し、連結杆の上面に突設した左右１対のピンに、棚板に設けた係合孔を嵌合して、棚板を、左右のブラケットと連結杆により脱落を防止して支持しているので、棚板に孔加工を施さなければならず、棚板をガラス製とした際に、その加工コストが増大する。
【０００５】
本発明は、上記問題点に鑑みてなされたもので、棚板を、後向きの外力が加わるのを防止して支持しうるとともに、棚板に何らの加工を施すことなく、これを安定よく支持しうるようにした、什器における棚板支持構造を提供することを目的としている。
【課題を解決するための手段】
【０００６】
本発明によると、上記課題は、次の各項のようにして解決される。
（１）什器における上下方向を向く左右の支持体の対向面に、棚板の両側部を支持可能な前後方向を向く棚板側部支持片と、その外側縁より起立する起立片とを備える左右１対のブラケットを設け、前記左右の棚板側部支持片の前端部上面に、棚板の前端部を支持可能な棚板前部支持片と、その前端に連設された上向片及び下向片とを備える左右方向を向く前部棚受けを、前記棚板前部支持片の両側部に下向き突設した側面視後向きＬ字状の係合爪を前記両棚板側部支持片の前端部に設けた前後方向を向く係合孔に係合させることにより、前記下向片の後面がブラケットの前端と当接または近接するようにして取付け、前記左右１対のブラケットの起立片と、前部棚受けの上向片とにより囲まれた領域内に、棚板を支持する。
【０００７】
このような構成とすると、前部棚受けは、その下向片の後面が、左右のブラケットの前端と当接または近接するようにして取付けられているので、万一、前部棚受けに後向きの強い衝撃力が加わったとしても、左右のブラケットと前部棚受けとにより支持された棚板には、後向きの外力や衝撃荷重が直接加わることがない。従って、棚板に載置した物品を転倒させたり、比較的厚さの薄いガラス製の棚板を使用しても、これを損傷させたりする恐れがない。
また、棚板は、左右のブラケットの起立片と、前部棚受けの上向片とにより囲まれた領域内に安定よく支持されているので、棚板には何らの加工も施す必要がなく、コスト低減が図れる。
【０００８】
（２）上記(１)項において、係合爪の基部の前後寸法を、係合孔の前後寸法とほぼ等しくするとともに、係合爪の前下端の角部を、係合爪の後端部を斜め前上方より係合孔に挿入し、かつ係合孔の後端縁に係止させた状態で下向きに回動させうるように切り欠く。
【０００９】
このような構成とすると、係合爪の基部の前後寸法を、係合孔の前後寸法とほぼ等しくしてあるので、前部棚受けが前後方向に移動する恐れは殆どなく、棚板はより安定よく支持される。
また、係合爪の前下端の角部を切り欠いてあるので、係合爪の基部の前後寸法を係合孔の前後寸法とほぼ等しくしても、係合孔に係合爪を支障なく係合することができる。
【００１０】
（３）上記(１)または(２)項において、前部棚受けの下向片の後面に、ブラケットの前端部と係合することにより、前部棚受けの跳上がりを防止する係止手段を設ける。
【００１１】
このような構成とすると、地震等の振動により、前部棚受けに上向きの外力が加わっても、これが上下にがたついたり、係止爪が係合孔より外れたりする恐れがない。
【００１２】
（４）上記(３)項において、係止手段を、ブラケットの棚板側部支持片の前端部または棚板側部支持片の前端に突設した係合突部が後方より係合する、前方に凹入する係合溝とする。
【００１３】
このような構成とすると、係合溝が前方より目立たないので、体裁がよい。
【００１４】
（５）上記(４)項において、下向片の下端に、後ろ上方を向く折り返し片を、その上端と棚板前部支持片の前部下面との間に左右方向を向く凹溝が形成されるようにして連設し、この凹溝を係合溝とする。
【００１５】
このような構成とすると、下向片の後面に加工を施すことなく、係合溝を簡単に形成することができる。
【００１６】
（６）上記(５)項において、下向片の下端に、後ろ上方を向く折り返し片を連設し、この折り返し片の上端に、棚板側部支持片の前端に突設した係合突部が係合する凹状の係合溝を設け、この係合溝を係止手段とする。
【００１７】
このような構成とすると、前部棚板が、左右方向にもがたつくのが防止される。
【発明の効果】
【００１８】
本発明によれば、前部棚受けは、その下向片の後面が、左右のブラケットの前端と当接または近接するようにして取付けられているので、万一、前部棚受けに後向きの強い衝撃力が加わったとしても、左右のブラケットと前部棚受けとにより支持された棚板には、後向きの外力や衝撃荷重が直接加わることがない。従って、棚板に載置した物品を転倒させたり、比較的厚さの薄いガラス製の棚板を使用しても、これを損傷させたりする恐れがない。
また、棚板は、左右のブラケットの起立片と、前部棚受けの上向片とにより囲まれた領域内に安定よく支持されているので、棚板には何らの加工も施す必要がなく、コスト低減が図れる。
【発明を実施するための最良の形態】
【００１９】
以下、本発明の実施形態を、図面に基づいて説明する。
図１は、本発明の一実施形態を適用した什器、すなわち下部キャビネット１と上部キャビネット２の正面図、図２は、同じく側面図である。
【００２０】
下部キャビネット１は、上下左右に複数の引出し３を有する箱形をなし、上部キャビネット２は、その左右寸法が下部キャビネット１のそれと等しく、かつ前後寸法が下部キャビネット１のそれのほぼ半分の長さの陳列棚形をなし、上部キャビネット２は、下部キャビネット１における天板４の後半部の上面に載置して連結されている。
【００２１】
上部キャビネット２は、左右の側板５、５と、これらの後端面に固着された後面板６と、両側板５と後面板６の上端部に固着された上面板７とからなる、前方と下方が開放された板金製の筐体８と、両側板５の対向面により支持された上下複数段のガラス製棚板９とを備えている。
図３〜図６に示すように、上部キャビネット２における左右の側板５、５は、外パネル１０と内パネル１１とからなり、外パネル１０の前端には、内向片１２a とそれに続く後向片１２bとからなる平面視内向きＬ字状の屈折縁１２が形成され、同じく下端には、内向片１３aと上向片１３bとからなる、上記屈折縁１２と同じ幅の正面視Ｌ字状断面の屈折縁１３が、それぞれ形成されている。
【００２２】
内パネル１１の前端と下端とには、それぞれ外向片１１a、１１bが連設され、内パネル１１の前端部と前部側の外向片１１aを上記前部の屈折縁１２内に、同じく内パネル１１の下端部と下部の外向片１１bを下部の屈折縁１３内に、それぞれ着脱可能に嵌合し、かつ内パネル１１の上端部の左右複数箇所を、図７に示すように、外パネル１０の上端部の内側面に固着された左右方向を向くパネル支持部材１４の前面に、止めねじ１５をもって固定することにより、内パネル１１は、外パネル１０に、着脱可能、かつ互いの対向面間に所要の隙間が形成されるようにして連結されている。
【００２３】
後面板６の下端には、前向片１６aと上向片１６bとからなる、上記両屈折縁１２、１３と等幅をなす側面視Ｌ字状断面の屈折縁１６が形成されている。なお、外パネル１０と後面板６とは、それらの屈折縁１３、１６同士が、コーナー部において互いに連続するようにして連結されている。両屈折縁１３、１６のコーナー部の内部には、上向片１３b、１６bの上下寸法よりも厚さの小さい平面視Ｌ字状の連結金具１７が、スポット溶接等により固着されている。
【００２４】
下部キャビネット１と上部キャビネット２とを連結するには、まず上部キャビネット２を、下部キャビネット１の天板４の後半部に載置する。
【００２５】
ついで、図３、図４及び図６に示すように、後面板６と外パネル１０とのコーナー部において、それらの屈折縁１６、並びに屈折縁１３内に固着したＬ字状の連結金具１７における側板５側の前後２箇所と、後面板６側の内端部とに穿設された通孔１８に、上方より固定ねじ１９を挿入し、それらを、下部キャビネット１の天板４における上記各通孔１８と対向する位置に設けためねじ孔２０に螺合して締め付ける。
【００２６】
ついで、後面板６の屈折縁１６内の左右複数箇所に固着された、上記連結金具１７と等しい板厚の横長の連結金具２１における両側部の通孔１８に、図５に示すように、上方より固定ねじ１９を挿入し、この固定ねじ１９を、天板４の後端部に設けためねじ孔２０に螺合して締め付ける。
【００２７】
これにより、下部キャビネット１の天板４の上面に、上部キャビネット２における左右の外パネル１０と後面板６との下端の屈折縁１３、１６が強固に固定される。
【００２８】
ついで、左右の外パネル１０に、内パネル１１を、上述した要領で取付ける。この際、内パネル１１の下端の外向片１１bは、連結金具１７の上面に当接するようにして嵌合され、かつ外向片１１bにおける固定ねじ１９と対応する位置に切欠き２２を設けることにより、固定ねじ１９の頭部と干渉しないようにしてある。なお、固定ねじ１９を皿ねじとして、その上面が連結金具１７の上面と整合するようにすれば、上記切欠き２２は不要となる。
【００２９】
内パネル１１を装着したのち、後面板６の下端の屈折縁１６には、カバー部材２３が、次のようにして装着される。
図５及び図６に示すように、カバー部材２３は、左右の内パネル１１の対向面間の寸法と等しい左右寸法の底片２３a、前片２３b、及び上片２３cを有する側面視概ね後向きコ字状断面をなし、上片２３c両側端の後縁には、外向きの左右１対の係止片２４、２４が突設されている(図３参照)。
【００３０】
図３及び図５に示すように、上記左右の係止片２４を、内パネル１１の後面と後面板６の前面との間に形成された上下方向の隙間２５に嵌合させた状態で、カバー部材２３を下方にスライドさせ、その下端部を後面板６の屈折縁１６内に嵌合することにより、カバー部材２３は、その両側端が左右の内パネル１１の内側面と当接するようにして、屈折縁１６に装着されている。なお、両係止片２４を隙間２５に嵌合するには、カバー部材２３を斜めに傾けて行えばよい。
【００３１】
カバー部材２３の底片２３aにおける固定ねじ１９と対応する部分には、切欠き２６が形成され、底片２３aが固定ねじ１９の頭部と干渉しないようにしてある。なお、上記と同様、固定ねじ１９を皿ねじとして、切欠き２６を省略してもよい。
カバー部材２３の前片２３bにおける屈折縁１６ヘの嵌合部よりも上方の部分は、上向片１６bの前面と同一面に整合するように、若干前方に膨出させてある。
【００３２】
上記のように、上部キャビネット２を下部キャビネット１に固定した後、外パネル１０に内パネル１１を、かつ後面板６の屈折縁１６にカバー部材２３を、それぞれ装着すると、内パネル１１とカバー部材２３により、屈折縁１３、１６の上方が覆われ、連結金具１７、２１及び固定ねじ１９が隠蔽されるので、上部キャビネット２の収容空間の体裁が向上する。
また、左右の内パネル１１の下端部の対向面間にカバー部材が挟入されているので、上部キャビネット２における筐体８の強度、特に筐体８の後ろ下部の左右方向の剛性が高まる。
【００３３】
次に、上述した棚板９の支持構造について説明する。
図２及び図８〜図１２に示すように、支持体である上部キャビネット２の左右の側板５(左右同一構造につき、一方のみ図示する)における内パネル１１の前部と後部には、方形をなす複数の係止孔２７が、上下方向に一定間隔おきに穿設され、この左右に対向する任意の係止孔２７に、左右１対のブラケット２８、２８が、着脱可能に取付けられている。
【００３４】
左右のブラケット２８、２８は、棚板９の両側部を支持する前後方向を向く水平の棚板側部支持片２８aの外側端に、起立片２８bが連設された正面視Ｌ字状をなし、起立片２８bの上縁の前部と後部に外向きに突設された、概ねＬ字状断面の係合片２９、２９を、上記内パネル１１の前後の係止孔２７に係合させることにより、両ブラケット２８は、その起立片２８bの外面が内パネル１１の内面と当接するようにして、着脱可能に取付けられている。
【００３５】
左右のブラケット２８、２８における棚板側部支持片２８a、２８aの前端部の中央部には、前後方向を向く係合孔３０、３０が形成され、また、両棚板側部支持片２８bの内方の前端角部には、係合突部３１、３１が前向きに突設されている。
【００３６】
左右のブラケット２８の前端部間には、棚板９の前部を支持する板金製の前部棚受け３２が、次のようにして架設されている。
前部棚受け３２は、左右のブラケット２８の棚板側部支持片２８aの上面に載置され、棚板９の前端部を支持する左右方向を向く水平の棚板前部支持片３３と、この棚板前部支持片３３の前端より起立する、左右寸法が左右のブラケット２８の起立片２８b間の離間寸法と同等、もしくは、それよりも若干短寸の上向片３４、及び棚板前部支持片３３の前端より垂下する下向片３５とを備え、上向片３４と下向片３５は、それらの上下両端において、それぞれ板金を前下方と後上方に折り返すことにより、二重構造とされている。
【００３７】
下向片３５の折り返し片３５aの上端を、棚板前部支持片３３の前端部の下面より若干下方に位置させることにより、下向片３５の後面には、前方に凹入する左右方向を向く凹溝３５bが形成されている。なお、凹溝３５bの溝幅は、ブラケット２８の棚板側部支持片２８aの板厚よりも若干小さくしてある。
折り返し片３５aの上端部には、上記左右の棚板側部支持片２８a、２８aの係合突部３１、３１が後方より係合可能な係止手段、すなわち前方に凹入する左右１対の凹状の係合溝３６、３６が形成されている。係合突部３１の突出寸法は、係合溝３６の深さよりも若干大とされ、係合突部３１の前端が下向片３５の後面に当接するようにしてある。
【００３８】
棚板前部支持片３３の両側縁には、左右の棚板側部支持片２８a、２８aの係合孔３０、３０に嵌合されて、それよりも後方の棚板側部支持片２８aの下面に係合可能な側面視後向きＬ字状の係合爪３７、３７が、下向きに突設されている。両係合爪３７の前下部の角部３７aは、側面視円弧状の曲面に切り欠かれ、かつ基部３７bの前後寸法は、係合孔３０に前後方向にがたなく嵌合しうるように、その前後寸法とほぼ同等としてある。
両係合爪３７の連設部である棚板前部支持片３３の後端部の両側部には、切欠き３８、３８が形成されている。
【００３９】
前部棚受け３２を左右のブラケット２８に取付けるには、図９に示すように、前部棚受け３２全体を後傾させた状態で、左右の係合爪３７、３７の後端部を、左右のブラケット２８における棚板側部支持片２８aの係合孔３０に、斜め前上方より嵌合したのち、前部棚受け３２を、その棚板前部支持片３３が棚板側部支持片２８aの上面と当接する位置まで、矢印のように下向きに回動させればよい。すると、図１０に示すように、係合爪３７の後部の上端面が、棚板側部支持片２８aにおける係合孔３０より後方の下面に当接または近接するようにして係合し、かつ下向片３５と上向片３４が若干前方に弾性変形しつつ、下向片３５の折り返し片３５aに設けた左右の係合溝３６に、左右の棚板側部支持片２８aに突設した係合突部３１が弾性係合する。これにより、前部棚受け３２は、跳上がり防止と外れ止めがなされ、かつ左右方向にがたつくのが防止されて、左右のブラケット２８の前端部上面に取付けられる。
【００４０】
また、係合溝３６に係合させた係合突部３１の前端が、下向片３５の後面に当接または近接し、かつ係合爪３７の基部３７bの前後寸法を、係合孔３０のそれとほぼ同等としてあるので、前部棚受け３２が前後方向に移動する恐れは殆どない。なお、係合爪３７の前下部の角部３７aを、側面視円弧状の曲面に切り欠いてあるので、係合爪３７の基部３７bの前後寸法を係合孔３０のそれとほぼ同等としても、係合爪３７を、斜め前上方から係合孔２９にスムーズに係合させることができる。
前部棚受け３２をブラケット２８より取り外す際は、下向片３５の後面に指を掛けるなどして、前部棚受け３２全体を、上記と反対に上向きに回動させればよい。
【００４１】
棚板９は、その両側端部と前端部とが、それぞれ、左右のブラケット２８、２８における棚板側部支持片２８a、２８aと、前部棚受け３２の棚板前部支持片３３とにより支持された状態で、両ブラケット２８と前部棚受け３２と後面板６とにより囲まれた領域内に、安定よく支持されている。従って、棚板９には、何らの加工も施す必要がない。
また、前部棚受け３２は、左右のブラケット２８の前端部上面に、前後方向に移動するのが規制されて取付けられているので、万一、前部棚受け３２に後向きの強い衝撃力が加わったとしても、棚板９には後向きの外力や衝撃荷重が直接加わることがない。従って、棚板９に載置した物品を転倒させたり、比較的厚さの薄いガラス製の棚板９を使用しても、これを損傷させたりする恐れがない。
【００４２】
本発明は、上記実施形態に限定されるものではない。
上記実施形態においては、前部棚受け３２の跳上がりと、左右方向ヘのがたつきを防止しうるように、その折り返し片３５aの上端に設けた凹状の係合溝３６を、ブラケット２８の前端に突設した係合突部３１に係合させているが、折り返し片３５aの上端と、棚板前部支持片３３の前部下面との間に形成された左右方向を向く凹溝３５bを、係合突部３１が係合する係合溝とし、凹状の係合溝３６を省略することもある。この際には、凹溝３５bの溝幅を、係合突部３１の厚さとほぼ等しくすればよい。
【００４３】
また、上記のような係合突部３１を設けないで、ブラケット３２における棚板側部支持片２８aの前端部を、その板厚と同等とした凹溝３５bに係合させるようにしてもよい。
【００４４】
上記実施形態では、係止手段としての凹溝３５bを、下向片３５の下端に連設した折り返し片３５aの上端と、棚板前部支持片３３の前部下面との間に形成しているが、例えば下向片３５の板厚を若干大として、下向片３５自体の後面に、前方に凹入する左右方向を向く凹溝３５bを形成してもよい。
また、厚さを大とした下向片３５の後面を前方に凹入させれば、係合突部３１が係合可能な係合溝を形成することもできる。
【００４５】
上記凹溝３５bや係合溝３６、及び係合溝３６に係合する係合突部３１を省略し、前部棚受け３２における下向片３５の後面が、ブラケット２８の前端と当接または近接するようにすることもある。
【００４６】
本発明は、上記キャビネットの他、前後左右に並ぶ４本の支柱(支持体)を有する陳列棚等の棚板の支持構造にも適用することができる。
【図面の簡単な説明】
【００４７】
【図１】本発明の一実施形態を適用した什器の正面図である。
【図２】同じく、側面図である。
【図３】図１のIII-III線拡大横断平面図である。
【図４】図３のIV-IV線拡大縦断正面図である。
【図５】同じく、V-V線拡大縦断側面図である。
【図６】上部キャビネットのコーナー部の連結部を、内部より見た斜視図である。
【図７】図２のVII-VII線拡大縦断正面図である。
【図８】図１のVIII-VIII線拡大縦断側面図である。
【図９】ブラケットへの前部棚受けの取付要領を示す側面図である。
【図１０】同じく、前部棚受け取付後の側面図である。
【図１１】左右のブラケットと前部棚受けとの取付前の斜視図である。
【図１２】図８のXII-XII線拡大縦断正面図である。
【符号の説明】
【００４８】
１  下部キャビネット
２  上部キャビネット
３  引出し
４  天板
５  側板(支持体)
６  後面板
７  上面板
８  筐体
９  棚板
１０  外パネル
１１a 外向片
１１b 外向片
１１  内パネル
１２  幅広部
１２a 内向片
１２b 後向片
１３  幅広部
１３a 内向片
１３b 上向片
１４  パネル支持部材
１５  止めねじ
１６  幅広部
１６a 前向片
１６b 上向片
１７  連結金具
１８  通孔
１９  固定ねじ
２０  めねじ孔
２１  連結金具
２２  切欠き
２３  カバー部材
２３a 底片
２３b 前片
２３c 上片
２４  係止片
２５  隙間
２６  切欠き
２７  係止孔
２８  ブラケット
２８a 棚板側部支持片
２８b 起立片
２９  係合片
３０  係合孔
３１  係合突部
３２  前部棚受け
３３  棚板前部支持片
３４  上向片
３５  下向片
３５a 折り返し片
３５b 凹溝
３６  係合溝
３７  係合爪
３７a 角部
３７b 基部
３８  切欠き
【図１】
2010158269.tif 000003
【図２】
2010158269.tif 000004
【図３】
2010158269.tif 000005
【図４】
2010158269.tif 000006
【図５】
2010158269.tif 000007
【図６】
2010158269.tif 000008
【図７】
2010158269.tif 000009
【図８】
2010158269.tif 000010
【図９】
2010158269.tif 000011
【図１０】
2010158269.tif 000012
【図１１】
2010158269.tif 000013
【図１２】
2010158269.tif 000014